(57)【要約】      （修正有）【課題】排水設備における排水管継手の種類の決定、及び排水立て管等の径寸法の決定を容易に行えるようにする。【解決手段】排水管継手の種類、排水立て管の径寸法及び排水横主管の径寸法を決定するための排水設備の設計表であって、１フロア当たりの各器具の記載欄と、１フロア当たりの各器具の定常流量ｑと、それらの定常流量ｑを合計した合計定常流量と、前記１フロアを代表する器具の器具平均排水流量ｑｄとの記載欄と、排水立て管の定常流量である管定常流量Ｑの記載欄と、管定常流量Ｑと器具平均排水流量ｑｄとを用いて排水立て管選定線図により排水立て管の負荷流量ＱＬを決定した記載欄と、集合住宅の階数に対応した排水横主管の負荷流量ＱＹを決定した記載欄と、排水立て管の負荷流量ＱＬに基づいて排水管継手の種類及び排水立て管の径寸法の記載欄と、排水横主管の負荷流量ＱＹに基づいてその排水横主管の径寸法の記載欄とを有する。【選択図】図１
2008285924.tif 000002
【特許請求の範囲】
【請求項１】
集合住宅の上階と下階の排水立て管を各階に設置された排水管継手でそれぞれ接続する構成で、各階に設置された器具の排水を排水横枝管で前記排水管継手まで導き、その排水管継手を介して排水立て管に流入させ、前記排水立て管を流下する排水を排水横主管で受ける構成の排水設備において、前記排水管継手の種類、前記排水立て管の径寸法及び排水横主管の径寸法を決定するための排水設備の設計表であって、
１フロア当たりの各器具を記載している欄と、
１フロア当たりの各器具の定常流量と、それらの定常流量を合計した合計定常流量と、前記１フロアを代表する器具の器具平均排水流量とを記載している欄と、
前記合計定常流量に前記集合住宅の階数を乗じた値で、前記排水立て管の定常流量である管定常流量を記載している欄と、
前記管定常流量と前記器具平均排水流量とを用いて排水立て管選定線図により、前記集合住宅の階数に対応した排水立て管の負荷流量を決定し、その負荷流量を記載している欄と、
前記管定常流量と前記器具平均排水流量とを用いて排水横主管選定線図により、前記集合住宅の階数に対応した排水横主管の負荷流量を決定し、その負荷流量を記載している欄と、
前記排水立て管の負荷流量に基づいて排水管継手の種類及び前記排水立て管の径寸法を記載している欄と、
前記排水横主管の負荷流量に基づいてその排水横主管の径寸法を記載している欄と、
を有することを特徴とする排水設備の設計表。
【請求項２】
請求項１に記載された排水設備の設計表であって、
１フロア当たりの器具の組み合わせが複数パターン記載されており、各々のパターン毎に前記管定常流量、前記器具平均排水流量、前記集合住宅の階数に対応した前記排水立て管の負荷流量、前記排水横主管の負荷流量、及び排水管継手の種類と前記排水立て管及び前記排水横主管の径寸法が記載されていることを特徴とする排水設備の設計表。
【請求項３】
請求項１又は請求項２のいずれかに記載された排水設備の設計表であって、
前記器具として器具平均排水流量が大きい超節水型の便器を使用した場合の前記管定常流量、前記器具平均排水流量、前記集合住宅の階数に対応した前記排水立て管の負荷流量、前記排水横主管の負荷流量、及び排水管継手の種類と前記排水立て管及び前記排水横主管の径寸法が記載されていることを特徴とする排水設備の設計表。
【請求項４】
請求項１から請求項３のいずれかに記載された排水設備の設計表であって、
５階建ての集合住宅から６０階建て超高層の集合住宅の階数に対応した前記管定常流量、前記排水立て管の負荷流量、排水横主管の負荷流量及び排水管継手の種類と前記排水立て管及び前記排水横主管の径寸法が記載されていることを特徴とする排水設備の設計表。
【請求項５】
請求項１から請求項４のいずれかに記載された排水設備の設計表であって、
排水立て管の負荷流量が記載されている欄は、その負荷流量に適する種類及び径寸法の排水管継手の適用範囲がそれぞれ同色で塗り分けられていることを特徴とする排水設備の設計表。
【請求項６】
請求項１から請求項５のいずれかに記載された排水設備の設計表であって、
排水横主管の負荷流量が記載されている欄は、その負荷流量に適する径寸法の排水横主管の適用範囲がそれぞれ同色で塗り分けられていることを特徴とする排水設備の設計表。
【発明の詳細な説明】
【技術分野】
【０００１】
本発明は、集合住宅の上階と下階の排水立て管を各階に設置された排水管継手でそれぞれ接続する構成で、各階に設置された器具の排水を排水横枝管で前記排水管継手まで導き、その排水管継手を介して排水立て管に流入させ、前記排水立て管を流下する排水を排水横主管で受ける構成の排水設備において、前記排水管継手の種類、前記排水立て管の径寸法及び排水横主管の径寸法を決定するための排水設備の設計表に関する。
【背景技術】
【０００２】
従来は、排水設備の設計表に相当するものはなく、各々の設計者が図９に示す手順に基づいて排水管継手の種類及び排水立て管の径寸法を決定していた。
以下、従来の方法で、例えば、１０階建ての集合住宅の排水管継手及び排水立て管の径寸法を決定する手順について説明する。
先ず、１フロア当たりの器具定常流量ｑを求め、これに基づいて管定常流量Ｑを決定する。ここで、器具定常流量ｑとは、器具の１使用当たりの全排水量ｗを平均排水間隔Ｔ０（器具が排水されてから次に排水されるまでの平均時間）で除した値に排水率βを乗じた値である。
例えば、１フロアに便器、浴槽、洗濯機が設置されている場合、便器の定常流量は、1.0×9リットル／700秒＝0.013リットル／秒、浴槽の定常流量0.3×180リットル／3600秒=0.015リットル／秒、洗濯機の定常流量は、0.5×120リットル／3600秒＝0.017リットル／秒とすれば、１フロアの合計の定常流量は0.045リットル／秒となる。
このため、１０階建ての集合住宅の場合、排水立て管を流れる定常流量の合計（管定常流量Ｑ）は、10階×１フロアの合計の定常流量（0.045リットル／秒）＝0.45リットル／秒となる。
【０００３】
次に、１フロアの代表器具の器具平均排水流量ｑｄを選択する。ここで、器具平均排水流量ｑｄとは、全体水量の20％が排水されてから80％が排水されるまでの時間をｔ秒とし、器具の１使用当たりの全排水量をｗとした場合に、0.6ｗ÷ｔで求められる。器具平均排水流量ｑｄも器具の種類毎に決められており、上記の場合、器具平均排水流量ｑｄが最も大きい便器の器具平均排水流量ｑｄ＝1.5リットル／秒が選択される。
次に、図１０に示す排水管選定線図（立て管）を使用して、管定常流量Ｑと器具平均排水流量ｑｄとから排水立て管の負荷流量ＱＬを決定する。即ち、管定常流量Ｑ＝0.45リットル／秒と器具平均排水流量ｑｄ＝1.5リットル／秒とから排水立て管の負荷流量は4.4リットル／秒となる。したがって、図１０に示す排水管選定線図から負荷流量4.4リットル／秒を流す能力がある排水管継手と排水立て管とが選択される。
【０００４】
なお、排水横主管の径寸法も、管定常流量Ｑ＝0.45リットル／秒と器具平均排水流量ｑｄ＝1.5リットル／秒とから横主管用の排水管選定線図（図示省略）を使用して排水横主管の負荷流量を読み取り、その負荷流量に基づいて決定される。
【発明の開示】
【発明が解決しようとする課題】
【０００５】
しかし、上記した排水管継手及び排水立て管の決定方法では、１フロアの各器具の定常流量を加算して合計の定常流量ｑを求め、さらに合計の定常流量ｑに集合住宅の階数を乗じて管定常流量Ｑを求める必要がある。
また、その管定常流量Ｑと、１フロアの代表器具の器具平均排水流量ｑｄとから、図１０に示す排水管選定線図を使用して排水立て管の負荷流量を決定する必要がある。特に、排水管選定線図は両対数目盛で記載されているため、管定常流量Ｑと器具平均排水流量ｑｄとから排水立て管の負荷流量を決定する作業が煩雑であるし、読み取り個人差もある。
【０００６】
本発明は、上記問題点を解決するためになされたものであり、本発明が解決しようとする課題は、排水設備における排水管継手の種類の決定、排水立て管及び排水横主管の径寸法の決定を容易に行えるようにすることである。
【課題を解決するための手段】
【０００７】
上記した課題は、各請求項の発明によって解決される。
請求項１の発明は、集合住宅の上階と下階の排水立て管を各階に設置された排水管継手でそれぞれ接続する構成で、各階に設置された器具の排水を排水横枝管で前記排水管継手まで導き、その排水管継手を介して排水立て管に流入させ、前記排水立て管を流下する排水を排水横主管で受ける構成の排水設備において、前記排水管継手の種類、前記排水立て管の径寸法及び排水横主管の径寸法を決定するための排水設備の設計表であって、１フロア当たりの各器具を記載している欄と、１フロア当たりの各器具の定常流量と、それらの定常流量を合計した合計定常流量と、前記１フロアを代表する器具の器具平均排水流量とを記載している欄と、前記合計定常流量に前記集合住宅の階数を乗じた値で、前記排水立て管の定常流量である管定常流量を記載している欄と、前記管定常流量と前記器具平均排水流量とを用いて排水立て管選定線図により、前記集合住宅の階数に対応した排水立て管の負荷流量を決定し、その負荷流量を記載している欄と、前記管定常流量と前記器具平均排水流量とを用いて排水横主管選定線図により、前記集合住宅の階数に対応した排水横主管の負荷流量を決定し、その負荷流量を記載している欄と、前記排水立て管の負荷流量に基づいて排水管継手の種類及び前記排水立て管の径寸法を記載している欄と、前記排水横主管の負荷流量に基づいてその排水横主管の径寸法を記載している欄とを有することを特徴とする。
【０００８】
本発明によると、１フロア当たりの各器具の定常流量を合計した合計定常流量と、前記１フロアを代表する器具の器具平均排水流量とを記載している欄があり、前記合計定常流量に集合住宅の階数を乗じた値である管定常流量を記載している欄がある。このため、１フロア当たりの各器具の定常流量を合計する手間や、集合住宅の階数から管定常流量を計算する手間が掛らない。
また、管定常流量と器具平均排水流量とを用いて排水立て管選定線図により、前記集合住宅の階数に対応した排水立て管の負荷流量を決定し、その負荷流量を記載している欄がある。このため、排水管選定線図を使用して排水立て管の負荷流量を決定する手間を省略できる。また、排水立て管の負荷流量を決定する際の排水管選定線図の読み取り誤差も防止できる。したがって、集合住宅の排水設備における排水管継手の種類及び排水立て管の径寸法を決定する作業が容易になる。
同様に、集合住宅の排水設備における排水横主管の径寸法を決定する作業が容易になる。
【０００９】
請求項２の発明によると、１フロア当たりの器具の組み合わせが複数パターン記載されており、各々のパターン毎に前記管定常流量、前記器具平均排水流量、前記集合住宅の階数に対応した前記排水立て管の負荷流量、前記排水横主管の負荷流量、及び排水管継手の種類と前記排水立て管及び前記排水横主管の径寸法が記載されていることを特徴とする。
このため、設計（算定）の都度、前記管定常流量、前記合計定常流量を求める手間が省け、様々なタイプの集合住宅における排水設備の設計に対応が可能になる。
請求項３の発明によると、前記器具として器具平均排水流量が大きい超節水型の便器を使用した場合の前記管定常流量、前記器具平均排水流量、前記集合住宅の階数に対応した前記排水立て管の負荷流量、前記排水横主管の負荷流量、及び排水管継手の種類と前記排水立て管及び前記排水横主管の径寸法が記載されていることを特徴とする。
このため、近年、使用が急増している超節水型の便器を備える集合住宅の排水設備の設計に使用できるようになる。
【００１０】
請求項４の発明によると、５階建ての集合住宅から６０階建て超高層の集合住宅の階数に対応した前記管定常流量、前記排水立て管の負荷流量、排水横主管の負荷流量及び排水管継手の種類と前記排水立て管及び前記排水横主管の径寸法が記載されていることを特徴とする。
このため、通常の集合住宅から超高層の集合住宅までの排水設備の設計に使用できるようになる。
請求項５の発明によると、排水立て管の負荷流量が記載されている欄は、その負荷流量に適する種類及び径寸法の排水管継手の適用範囲がそれぞれ同色で塗り分けられていることを特徴とする。
このため、排水立て管の負荷流量から容易に排水管継手を決定できるようになる。
請求項６の発明によると、排水横主管の負荷流量が記載されている欄は、その負荷流量に適する径寸法の排水横主管の適用範囲がそれぞれ同色で塗り分けられていることを特徴とする。
このため、排水横主管の負荷流量から容易にその排水横主管に径寸法を決定できるようになる。
【発明の効果】
【００１１】
本発明によると、集合住宅の排水設備における排水管継手の種類、排水立て管及び排水横主管の径寸法を容易に決定できる。
【発明を実施するための最良の形態】
【００１２】
［実施形態１］
以下、図１から図８に基づいて本発明の実施形態１に係る排水設備の設計表の説明を行う。本実施形態に係る排水設備の設計表は、集合住宅の排水設備における排水管継手の種類、排水立て管の径寸法及び排水横主管の径寸法を決定するための表であり、図１に５階から１２階までの集合住宅について記載されている。図２には、１３階から２０階までの集合住宅、図３に２１階から２８階までの集合住宅、図４に２９階から６０階までの集合住宅について記載されている。また、図５〜図８は本実施形態に係る排水設備の設計表の変更例を表している。
【００１３】
＜排水設備の設計表の前提について＞
本実施形態に係る設計表は、以下に示す排水管継手の使用を前提として作成したものである。即ち、使用される排水管継手は、呼び径100mmの小型継手であるＫＳＴ１００Ａ（排水能力  15階：3.5リットル／秒）、呼び径100mmの中高層用継手であるＣＰ１００Ａ（排水能力  10階：6.8リットル／秒  25階：6.0リットル／秒）、呼び径100mmの超高層用継手であるＨＱ・ＨＰ１００Ａ（排水能力  20階：9.3リットル／秒  40階：8.4リットル／秒）及び呼び径125mmの超高層用継手であるＨＱ・ＨＰ１２５Ａ（排水能力  30階：13.5リットル／秒  50階：12.5リットル／秒  60階：12.1リットル／秒）の４種類の中から選定される。そして、選定された排水管継手の呼び径に合うように、排水立て管の径寸法（呼び径）が決定される。
【００１４】
＜排水設備の設計表の説明について＞
本実施形態に係る設計表では、左欄に集合住宅の１フロア当たりに設置される器具の組み合わせが複数パターン（実施例では６パターン）記載されている。即ち、パターン１では便器、パターン２では便器と浴槽、  …  パターン６では便器と浴槽と洗面器の様に記載されている。例えば、パターン１の場合には、排水立て管に各階の便器が接続されるようになる。同様に、パターン２の場合には、排水立て管に各階の便器と浴槽とが接続されるようになる。なお、前記排水立て管の下端部は排水横主管に接続されており、その排水立て管を流下する排水が排水横主管で受けられるようになっている。
器具の組み合わせが記載されている欄の上には、各器具における定常流量ｑと器具平均排水流量ｑｄとが記載されている。ここで、定常流量ｑとは、前述のように、器具の１使用当たりの全排水量ｗを平均排水間隔Ｔ０（器具が排水されてから次に排水されるまでの平均時間）で除した値である。また、器具平均排水流量ｑｄとは、前述のように、全体水量の20％が排水されてから80％が排水されるまでの時間をｔ秒とし、器具の１使用当たりの全排水量をｗとした場合に、0.6ｗ÷ｔで求められる。
【００１５】
例えば、通常のサイホン便器の場合、定常流量ｑ＝0.013リットル／秒、器具平均排水流量ｑｄ＝1.5リットル／秒である。本実施形態では、近年、使用が急増している超節水型の便器の使用を前提として設計表を作成している。超節水型の便器の場合、定常流量ｑは通常の便器よりも小さいが（ｑ＝0.009リットル／秒）、器具平均排水流量ｑｄは通常の便器よりも大きくなる（ｑｄ＝2.0リットル／秒）。
また、浴槽は、定常流量ｑ＝0.015リットル／秒、器具平均排水流量ｑｄ＝1.0リットル／秒であり、洗濯機は、定常流量ｑ＝0.017リットル／秒、器具平均排水流量ｑｄ＝0.75リットル／秒、洗面器は、定常流量ｑ＝0.009リットル／秒、器具平均排水流量ｑｄ＝0.75リットル／秒、台所は、定常流量ｑ＝0.03リットル／秒、器具平均排水流量ｑｄ＝0.75リットル／秒である。
１フロアの器具の組み合わせが記載されている欄の右には、各パターン毎に１フロア当たりの合計の定常流量ｑが記載されている。例えば、１フロアに便器、浴槽、洗濯機が設置されるパターン３の場合、合計の定常流量ｑは、0.041リットル／秒となる。また、その右横に１フロアの代表器具の器具平均排水流量ｑｄが記載されている。大便器を備えた組み合わせパターンにおいては、便器の器具平均排水流量ｑｄ＝2.0リットル／秒が最大となるため、１フロアの代表器具の器具平均排水流量ｑｄは2.0リットル／秒となる。
【００１６】
各パターン毎の１フロア当たりの合計の定常流量ｑ、１フロアの代表器具の器具平均排水流量ｑｄの欄の右側には、５階建てから６０階建てまでの各々の集合住宅における排水立て管の管定常流量Ｑ、排水立て管の負荷流量ＱＬ、排水横主管（排水立て管の下端部が接続される配管）の負荷流量ＱＹが階数毎に記載されている。
即ち、例えば、5階建ての集合住宅の場合、図１に示すように、階数を表す数字「５」の下に、5階建ての集合住宅における排水立て管の管定常流量Ｑ、排水立て管の負荷流量ＱＬ、排水横主管の負荷流量ＱＹが上から順番に記載されている。
なお、図１には、５階建てから１２階建てまで、図２には１３階建てから２０階建てまで、図３には２１階建てから２８階建てまで、図４には２９階建てから６０階建てまでの集合住宅が記載されている。
【００１７】
排水立て管の管定常流量Ｑは、１フロア当たりの合計の定常流量ｑに集合住宅の階数を乗じた値である。例えば、１フロアに便器、浴槽、洗濯機、洗面器が設置されるパターン４の１０階建ての集合住宅の場合、１フロア当たりの合計の定常流量ｑ＝0.050リットル／秒であるから、管定常流量Ｑは、Ｑ＝0.050×10＝0.500リットル／秒となる。
管定常流量Ｑの下に記載された排水立て管の負荷流量ＱＬは、管径決定用の排水流量であり、管定常流量Ｑと、１フロアの代表器具の器具平均排水流量ｑｄとを用いて図１０に示す排水管選定線図により決定されている。即ち、管定常流量Ｑは、0.500リットル／秒であり、１フロアの代表器具の器具平均排水流量ｑｄは、前述のように、ｑｄ＝2.0リットル／秒であるため、これらの値に基づいて図１０から排水立て管の負荷流量ＱＬは5.7リットル／秒となる。
排水立て管の負荷流量ＱＬの下に記載された排水横主管の負荷流量ＱＹは、横主管の管径決定用の排水流量であり、管定常流量Ｑと、１フロアの代表器具の器具平均排水流量ｑｄとを用いて横主管選定線図（図示省略）により決定されている（ＱＹ＝4.1リットル／秒）。
【００１８】
また、排水立て管の負荷流量ＱＬが記載されている欄は、その負荷流量ＱＬに適する種類及び径寸法の排水管継手の適用範囲が同色で塗り分けられている（図ではハッチ、クロスハッチ等で区分化されている）。例えば、排水立て管の負荷流量ＱＬ＝５.7リットル／秒の部分は符号Ｘで表示されるハッチに囲まれている。ここで、符号Ｘで表示されるハッチの範囲は呼び径100mmの中高層用継手であるＣＰ１００Ａ（排水能力  10階：6.8リットル／秒  25階：6.0リットル／秒）の適用範囲である（図の上部参照）。
このため、１フロアに便器、浴槽、洗濯機、洗面器が設置されるパターン４の１０階建ての集合住宅の場合、排水管継手に呼び径100mmの高性能中高層用継手であるＣＰ１００Ａを使用し、排水立て管に呼び径100mmのものを使用すれば良い。
排水横主管の負荷流量ＱＹが記載されている欄は、その負荷流量ＱＹに適する径寸法の排水横主管の適用範囲が同色で塗り分けられている（図ではハッチ、クロスハッチ等で区分化されている）。例えば、排水横主管の負荷流量ＱＹ＝4.1リットル／秒の部分は符号Ｓで表示されるクロスハッチに囲まれている。ここで、符号Ｓで表示されるクロスハッチの範囲は呼び径125mmの排水横主管の適用範囲である（図の上部参照）。このため、１フロアに便器、浴槽、洗濯機、洗面器が設置されるパターン４の１０階建ての集合住宅の場合、排水横主管に呼び径125mmのものを勾配1／100で使用すれば良い。
【００１９】
＜排水設備の設計表の具体的な使用方法について＞
次に、上記した設計表を利用して、排水設備の排水管継手の選定及び排水立て管の管径、排水横主管の管径の決定方法について具体的に説明する。
先ず、１フロアに便器、浴槽、洗濯機、洗面器、台所が設置されるパターン５の２０階建ての集合住宅における排水管継手の選定及び排水立て管の管径、排水横主管の管径の決定方法について説明する。
パターン５の場合、１フロア当たりの合計の定常流量ｑ＝0.080リットル／秒であるから、２０階建ての集合住宅における管定常流量Ｑは、図２に示すように、Ｑ＝0.080×20＝1.600リットル／秒となる。そして、このときの排水立て管の負荷流量ＱＬが下の欄に示すように、ＱＬ＝8.8リットル／秒である。負荷流量ＱＬ＝8.8リットル／秒は、符号Ｙで示すハッチに囲まれており、符号Ｙで示すハッチの範囲は呼び径100mmの超高層用継手であるＨＱ・ＨＰ１００Ａ（排水能力  20階：9.3リットル／秒  40階：8.4リットル／秒）の適用範囲である。
このため、パターン５の２０階建ての集合住宅の場合、排水管継手に呼び径100mmの高性能超高層用継手であるＨＱ・ＨＰ１００Ａを使用し、排水立て管に呼び径100mmのものを使用すれば良い。
また、排水横主管の負荷流量ＱＹは、排水立て管の負荷流量ＱＬの下の欄に示すように、ＱＹ＝6.7リットル／秒である。負荷流量ＱＹ＝6.7リットル／秒は、符号Ｔで示すハッチに囲まれており、符号Ｔで示すハッチの範囲は呼び径150mmの排水横主管の適用範囲である。
このため、パターン５の２０階建ての集合住宅の場合、排水横主管に呼び径150mmのものを使用すれば良い。
【００２０】
同様に、１フロアに便器、浴槽、洗面器が設置されるパターン６の２５階建ての集合住宅における排水管継手の選定及び排水立て管の管径、排水横主管の管径の決定方法について説明する。
パターン６の場合、１フロア当たりの合計の定常流量ｑ＝0.033リットル／秒であるから、２５階建ての集合住宅における管定常流量Ｑは、図３に示すように、Ｑ＝0.033×25＝0.825リットル／秒となる。そして、このときの排水立て管の負荷流量ＱＬが下の欄に示すように、ＱＬ＝6.7リットル／秒である。負荷流量ＱＬ＝6.7リットル／秒は、符号Ｙで示すクロスハッチで囲まれており、符号Ｙで示すクロスハッチの範囲は呼び径100mmの超高層用継手であるＨＱ・ＨＰ１００Ａ（排水能力  20階：9.3リットル／秒  40階：8.4リットル／秒））の適用範囲である。このため、パターン６の２５階建ての集合住宅の場合、排水管継手に呼び径100mmの超高層用継手であるＨＱ・ＨＰ１００Ａを使用し、排水立て管に呼び径100mmのものを使用すれば良い。
また、排水横主管の負荷流量ＱＹは、排水立て管の負荷流量ＱＬの下の欄に示すように、ＱＹ＝5.0リットル／秒である。負荷流量ＱＹ＝5.0リットル／秒は、符号Ｓで示すクロスハッチに囲まれており、符号Ｓで示すクロスハッチの範囲は呼び径125mmの排水横主管の適用範囲である。
このため、パターン６の２５階建ての集合住宅の場合、排水横主管に呼び径125mmのものを使用すれば良い。
【００２１】
また、１フロアに便器、浴槽、洗濯機が設置されるパターン３の６０階建ての集合住宅における排水管継手の選定及び排水立て管の管径、排水横主管の管径の決定方法について説明する。
パターン３の場合、１フロア当たりの合計の定常流量ｑ＝0.041リットル／秒であるから、６０階建ての集合住宅における管定常流量Ｑは、図４に示すように、Ｑ＝0.041×60＝2.46リットル／秒となる。そして、このときの排水立て管の負荷流量ＱＬが下の欄に示すように、ＱＬ＝10.7リットル／秒である。負荷流量ＱＬ＝10.7リットル／秒は、符号Ｚで示すハッチで囲まれており、符号Ｚで示すハッチの範囲は呼び径125mmの超高層用継手であるＨＱ・ＨＰ１２５Ａ（排水能力  30階：13.5リットル／秒  50階：12.5リットル／秒  60階：12.1リットル／秒）の適用範囲である。このため、パターン３の６０階建ての集合住宅の場合、排水管継手に呼び径125mmの高性能超高層用継手であるＨＱ・ＨＰ１２５Ａを使用し、排水立て管に呼び径125mmのものを使用すれば良い。
また、排水横主管の負荷流量ＱＹは、排水立て管の負荷流量ＱＬの下の欄に示すように、ＱＹ＝8.5リットル／秒である。負荷流量ＱＹ＝8.5リットル／秒は、符号Ｕで示すハッチに囲まれており、符号Ｕで示すハッチの範囲は呼び径200mmの排水横主管の適用範囲である。
このため、パターン３の６０階建ての集合住宅の場合、排水横主管に呼び径200mmのものを使用すれば良い。
【００２２】
＜本実施形態に係る排水設備の設計表の長所＞
本実施形態に係る排水設備の設計表によると、１フロア当たりの各器具の定常流量を合計した合計定常流量ｑと、１フロアを代表する器具の器具平均排水流量ｑｄとを記載している欄があり、合計定常流量ｑに集合住宅の階数を乗じた値である管定常流量Ｑを記載している欄がある。このため、１フロア当たりの各器具の定常流量を合計する手間や、集合住宅の階数から管定常流量Ｑを計算する手間が掛らない。
また、管定常流量Ｑと器具平均排水流量ｑｄとを用いて排水管選定線図により、前記集合住宅の階数に対応した排水立て管の負荷流量ＱＬを決定し、その負荷流量ＱＬを記載している欄がある。このため、排水管選定線図を使用して排水立て管の負荷流量ＱＬを決定する手間を省略できる。また、排水立て管の負荷流量ＱＬを決定する際の排水管選定線図の読み取り誤差も防止できる。したがって、集合住宅の排水設備における排水管継手の種類及び排水立て管の径寸法を決定する作業が容易になる。
また、同様に、集合住宅の排水設備における排水横主管の径寸法を決定する作業も容易になる。
さらに、１フロア当たりの器具の組み合わせが複数パターン（６パターン）記載されており、各々のパターン毎に管定常流量Ｑ、器具平均排水流量ｑｄ、集合住宅の階数に対応した排水立て管の負荷流量ＱＬ、排水横主管の負荷流量ＱＹ、及び排水管継手の種類と排水立て管及び排水横主管の径寸法が記載されている。このため、様々なタイプの集合住宅における排水設備の設計に対応が可能になる。
また、器具として器具平均排水流量ｑｄが大きい超節水型の便器を使用した場合の管定常流量Ｑ、器具平均排水流量ｑｄ、集合住宅の階数に対応した排水立て管の負荷流量ＱＬ、排水横主管の負荷流量ＱＹ、及び排水管継手の種類と排水立て管及び排水横主管の径寸法が記載されている。このため、近年、使用が急増している超節水型の便器を備える集合住宅の排水設備の設計に使用できるようになる。
さらに、５階建ての集合住宅から６０階建て超高層の集合住宅の階数に対応した管定常流量Ｑ、排水立て管の負荷流量ＱＬ、排水横主管の負荷流量ＱＹ及び排水管継手の種類と排水立て管及び前記排水横主管の径寸法が記載されている。このため、通常の集合住宅から超高層の集合住宅までの排水設備の設計に使用できるようになる。
【００２３】
＜変更例＞
本発明は上記実施形態に限定されるものではなく、本発明の要旨を逸脱しない範囲における変更が可能である。例えば、実施形態１では、器具平均排水流量が大きい超節水型の便器を使用した場合について、管定常流量Ｑ、器具平均排水流量ｑｄ、排水立て管の負荷流量ＱＬ、排水横主管の負荷流量ＱＹを決定し、排水立て管の負荷流量ＱＬ、排水横主管の負荷流量ＱＹに基づいて排水管継手の種類、排水立て管及び排水横主管の径寸法を設定している。しかし、図５〜図８に示すように、一般的な節水便器、即ち、器具平均排水流量ｑｄ＝1.5リットル／秒、定常流量ｑ＝0.013リットル／秒を使用した場合の管定常流量Ｑを計算し、排水立て管の負荷流量ＱＬ、排水横主管の負荷流量ＱＹを決定して設計表を作成することも可能である。
また、本実施形態に係る設計表では１フロアにおける器具の組み合わせを６パターンとした例を示したが、器具の種類を増やしたり、器具の組み合わせパターンを増やすことも可能である。
また、本実施形態に係る設計表では、横主管の負荷流量ＱＹを記載する例を示したが、横主管の負荷流量ＱＹを別表にすることも可能である。
【図面の簡単な説明】
【００２４】
【図１】本発明の実施形態１に係る排水設備の設計表における５階から１２階までの集合住宅について記載している部分である。
【図２】本発明の実施形態１に係る排水設備の設計表における１３階から２０階までの集合住宅について記載している部分である。
【図３】本発明の実施形態１に係る排水設備の設計表における２１階から２８階までの集合住宅について記載している部分である。
【図４】本発明の実施形態１に係る排水設備の設計表における２９階から６０階までの集合住宅について記載している部分である。
【図５】変更例に係る排水設備の設計表における５階から１２階までの集合住宅について記載している部分である。
【図６】変更例に係る排水設備の設計表における１３階から２０階までの集合住宅について記載している部分である。
【図７】変更例に係る排水設備の設計表における２１階から２８階までの集合住宅について記載している部分である。
【図８】変更例に係る排水設備の設計表における２９階から６０階までの集合住宅について記載している部分である。
【図９】従来の排水管継手の種類及び排水立て管の径寸法を決定する手順を表すフロー図である。
【図１０】排水立て管用の排水管選定線図である。
【符号の説明】
【００２５】
ｑｄ・・・・・器具平均排水流量
ｑ・・・・・・定常流量
Ｑ・・・・・・排水立て管の管定常流量
ＱＬ・・・・・排水立て管の負荷流量
ＱＹ・・・・・排水横主管の負荷流量
ＣＰ１００Ａ・・呼び径100mmの中高層用継手
ＨＱ・ＨＰ１００Ａ・・呼び径100mmの超高層用継手
ＨＱ・ＨＰ１２５Ａ・・呼び径125mmの超高層用継手
【図１】
2008285924.tif 000003
【図２】
2008285924.tif 000004
【図３】
2008285924.tif 000005
【図４】
2008285924.tif 000006
【図５】
2008285924.tif 000007
【図６】
2008285924.tif 000008
【図７】
2008285924.tif 000009
【図８】
2008285924.tif 000010
【図９】
2008285924.tif 000011
【図１０】
2008285924.tif 000012